(57)【要約】【課題】  粘着シートを備えたタイプでありながら屋外での使用が可能で、しかも捕獲性に優れたアリ捕獲器の提供。【課題の解決手段】  天面とこれを囲む周側面を有し、周側面に複数個の開口部を設けるとともに、前記天面の裏面上に下方に向けて粘着シートを貼設したアリ捕獲器。【選択図】図１
2006075025.tif 000002
【特許請求の範囲】
【請求項１】
天面とこれを囲む周側面を有し、周側面に複数個の開口部を設けるとともに、前記天面の裏面上に下方に向けて粘着シートを貼設したことを特徴とするアリ捕獲器。
【請求項２】
底面が開放したプラスチック製の略箱状の形状であって、周側面を構成する４側面の高さが２〜４ｃｍであり、かつ当該４側面のそれぞれ底辺の４隅から１〜２ｃｍを残して中央部に開口部を設けたことを特徴とする請求項１記載のアリ捕獲器。
【請求項３】
粘着シートの中央部にアリの誘引剤を含む袋を接着させるとともに、当該粘着シートの４隅を切欠き形状としたことを特徴とする請求項２記載のアリ捕獲器。
【発明の詳細な説明】
【技術分野】
【０００１】
本発明は、屋外においてアリ等の匍匐昆虫を捕獲するための粘着シートを備えた捕獲器に関するものである。
【背景技術】
【０００２】
アリ捕獲器としては、毒餌剤を収納したものが一般的である（例えば、実開昭６１−１０４０８３号、特開平１１−３１８３０５号、特開平１１−３４６６２６号）。一方、粘着シートを備えた捕獲器は、殺虫剤を使用しないという特長を有し、ゴキブリに対しては広く用いられているもののアリ用はほとんど知られていない。この理由として、アリ用の場合、野外で使用されるために日光や風雨に曝されて粘着剤の劣化が非常に激しいことがあげられる。
【特許文献１】実開昭６１−１０４０８３号
【特許文献２】特開平１１−３１８３０５号
【特許文献３】特開平１１−３４６６２６号
【発明の開示】
【発明が解決しようとする課題】
【０００３】
本発明は、粘着シートを備えたタイプでありながら屋外での使用が可能で、しかも捕獲性に優れたアリ捕獲器を提供するものである。
【課題を解決するための手段】
【０００４】
上記課題を解決するため、本発明は以下の構成を採用する。
（１）天面とこれを囲む周側面を有し、周側面に複数個の開口部を設けるとともに、前記天面の裏面上に下方に向けて粘着シートを貼設したアリ捕獲器。
（２）底面が開放したプラスチック製の略箱状の形状であって、周側面を構成する４側面の高さが２〜４ｃｍであり、かつ当該４側面のそれぞれ底辺の４隅から１〜２ｃｍを残して中央部に開口部を設けた（１）記載のアリ捕獲器。
（３）粘着シートの中央部にアリの誘引剤を含む袋を接着させるとともに、当該粘着シートの４隅を切欠き形状とした（２）記載のアリ捕獲器。
【発明の効果】
【０００５】
本発明のアリ捕獲器は、殺虫剤を使用しないのでその毒性に対する懸念がなく、また屋外で使用した場合でも優れた捕獲性を示すので極めて実用的である。
【発明を実施するための最良の形態】
【０００６】
本発明のアリ捕獲器は、粘着シートが裏面に貼着された天面とこれを囲む周側面から構成され、周側面には複数個の開口部が設けられる。アリ捕獲器の形状は、箱状、円筒状など、種々可能であるが、底面が開放した略箱状のものが使いやすい。
捕獲器の材質としてはプラスチック樹脂が好ましく、ポリエチレン、ポリプロピレン、ポリエステル、ポリカーボネートなどを例示できる。また、天面の大きさは、５〜１０ｃｍ×８〜１５ｃｍ程度が適当であり、周側面の高さはアリの習性を考慮して２〜４ｃｍに設計するのが好ましい。すなわち、２〜４ｃｍ程度の高さはアリの行動を狭めないので、粘着シートが天面に貼着された場合でも捕獲性の低下をほとんど招かない。
【０００７】
アリ捕獲器が略箱状の形状で周側面が４側面からなる場合、アリの侵入口となる開口部は、それぞれ底辺の４隅から１〜２ｃｍを残して中央部に設け、開口部の高さを側面の高さに対して０．２５〜０．５倍程度とするのが適当である。これは、アリの進入行路を観察した結果、開口部からしばらく水平移動後、折曲がった側辺を登り上がる傾向が強いことに基づくものである。
【０００８】
本発明は、粘着剤を塗工した粘着シートを天面の裏面上に貼着したことに特徴を有する。シート基剤としては、紙、フィルム等種々の材料を使用可能であり、粘着剤も特に限定されず、一般的に用いられているゴム系粘着剤、アクリル系粘着剤、シリコーン系粘着剤などの種々の粘着剤を用いることが出来る。ゴム系粘着剤には、天然ゴム系粘着剤、スチレン・ブタジエンゴム系粘着剤、再生ゴム系粘着剤、ポリイソブチレン、ブチルゴム系粘着剤、ブロックコポリマー系粘着剤などが含まれる。これらの粘着剤には、必要に応じて軟化剤、老化防止剤、架橋剤等の材料を添加することが出来る。
粘着シートは天面全面に貼着してもよいが、その４隅を非粘着部の切欠き形状にすると、側辺を登り上がったアリの行路を直ちに塞がないので捕獲性能が向上する。
【０００９】
本発明のアリ捕獲器は、アリの捕獲性をより一層アップするために、アリの誘引剤を含む袋を粘着シートの中央部に接着させるのが好ましい。誘引剤としては、アリの種類にもよるが、糖類、好ましくは黒糖、糖蜜等をベースとし、これに油脂等の脂肪、ならびに魚粉、蛹粉等の蛋白質を組み合わせたものがよい。これらの誘引剤は、不織布等の袋に充填され、使用に際して、粘着シートの中央部に接着させる。
【００１０】
かかる構成のアリ捕獲器は、粘着シートが底面ではなく天面の裏面上に貼着されているので、屋外で使用しても劣化しにくく、優れた捕獲性を長期にわたり維持することができる。また、揮散した誘引剤の成分が降下して捕獲器内に篭り、アリに対する誘引力が増強するというメリットも有する。
【００１１】
こうして得られた本発明のアリ捕獲器は、アミメアリ、トビイロケアリ、イエヒメアリ等の各種アリ類をはじめ、ダンゴムシ、ワラジムシ等の匍匐害虫の捕獲にも有効である。
【００１２】
以下に本発明の実施の形態を図面を参照し、説明する。
【実施例１】
【００１３】
図１は本発明のアリ捕獲器の一実施例の斜視図を示し、図２は図１の中央線における垂直方向断面図である。
天面１（縦７ｃｍ、横１０ｃｍ）とこれを囲む４側面２（高さ３．０ｃｍ）を有するポリプロピレン製の略箱状容器３を作製し、それぞれ側面２の底辺の４隅から１．５ｃｍを残して中央部に開口部４（高さ１．０ｃｍ）を設けた。天面１の裏面には４隅を部分的に欠いた粘着シート５を貼着し、粘着シート５の中央に誘引剤入りの不織布製袋６を接着させて本発明のアリ捕獲器を得た。なお、粘着シート５の粘着剤としては、ゴム系のものを用いた。
【００１４】
アリ捕獲器を庭に置き、１週間後に状況を観察したところ、無数のアリが捕獲されていた。また、雨天の日が２日間あったにもかかわらず粘着剤の捕獲性はほとんど劣化せず、屋外での使用に十分耐えうる捕獲器であることが認められた。
【実施例２】
【００１５】
実施例１に準じて、各種のアリ捕獲器を作製し、河川敷で試験を行った。アリの出入りが活発な巣穴から２ｍ離れた場所にそれぞれの捕獲器を置き、４日後に粘着シート上に捕獲されたアリ数を数えた。なお、誘引剤はいずれも同じものを用いた。結果を表１に示す。
【００１６】
【表１】
2006075025.tif 000003
【００１７】
試験の結果、本発明のアリ捕獲器は、アリの捕獲性に優れるうえ、屋外でも粘着シートの劣化がほとんどなく極めて有用であった。
これに対し、粘着シートを底面に設けた比較例のアリ捕獲器は、試験開始初期はアリが捕獲されるも、粘着剤が速やかに劣化するため実用性が認められなかった。
【図面の簡単な説明】
【００１８】
【図１】本発明のアリ捕獲器の一実施例の斜視図を示す。
【図２】図１の中央線における垂直方向断面図である。
【符号の説明】
【００１９】
１：天面
２：側面
３：容器
４．開口部
５．粘着シート
６．誘引剤入り不織布袋
【図１】
2006075025.tif 000004
【図２】
2006075025.tif 000005